(57)【要約】【課題】従来、リクライニンク゛装置のリクライニンク゛レハ゛ーは、フ゛ロー成形を利用して、一体成形される。リクライニンク゛レハ゛ーの先端部に材料が注入される傾向が強く、先端部と基部との間に重量差が発生する。重量差は、思わぬ弊害を発生する。走行中のリクライニンク゛レハ゛ーのカ゛タツキ発生と、このカ゛タツキが起因して、最悪の場合には、シートが勝手に移動して発生するトラフ゛ル、またシートの移動で発生する悪い事態、又はカ゛タツキが起因して、発生する騒音等の問題があった。【構成】本発明は、スフ゜ライン溝を有するシャフト挿入孔と、内方側に多数のリフ゛を設けたリクライニンク゛装置のリクライニンク゛レハ゛ーであって、スフ゜ライン溝に併設された固定スナッフ゜挿入孔と、スフ゜ライン溝と固定スナッフ゜挿入孔との連通部と、固定スナッフ゜挿入孔の第二端面壁に、固定スナッフ゜の略Ｕ字形弾性体を規制するスローフ゜を形成し、また固定スナッフ゜挿入孔の第一端面壁に、固定スナッフ゜の外側弾性体を規制する面壁を形成したリクライニンク゛レハ゛ー本体と、リクライニンク゛レハ゛ー本体に設けた多数個の取付孔に係合されるリクライニンク゛レハ゛ー蓋体と、で構成されるリクライニンク゛装置のリクライニンク゛レハ゛ーである。【選択図】    図１
2004180826.tif 000002
【特許請求の範囲】
【請求項１】
基部にスフ゜ライン溝を有するシャフト挿入孔を開設し、またその内方側に多数のリフ゛を設けたリクライニンク゛装置のリクライニンク゛レハ゛ーであって、
前記スフ゜ライン溝に併設された固定スナッフ゜挿入孔を開設し、当該スフ゜ライン溝と固定スナッフ゜挿入孔との連通部を形成し、この固定スナッフ゜挿入孔の第二端面壁に、固定スナッフ゜の略Ｕ字形弾性体を規制するスローフ゜を形成し、また固定スナッフ゜挿入孔の第一端面壁に、固定スナッフ゜の少なくとも一片の弾性体を規制する面壁を形成したリクライニンク゛レハ゛ー本体と、
このリクライニンク゛レハ゛ー本体に設けた多数個の取付孔に係合されるリクライニンク゛レハ゛ー蓋体と、
で構成されるリクライニンク゛装置のリクライニンク゛レハ゛ー。
【請求項２】
請求項１に記載の多数個の取付孔を、前記リフ゛に開設した構成のリクライニンク゛装置のリクライニンク゛レハ゛ー。
【請求項３】
リクライニンク゛装置のスフ゜ライン溝を有するシャフト挿入孔と、このシャフト挿入孔に併設された固定スナッフ゜挿入孔と、この固定スナッフ゜挿入孔の内面に設けた係合孔と、その内方側に設けた多数のリフ゛とでなるリクライニンク゛レハ゛ー本体と、このリクライニン  ク゛レハ゛ー本体に設けた多数個の取付孔に係合されるリクライニンク゛レハ゛ー蓋体とでなるリクライニンク゛装置のリクライニンク゛レハ゛ーと、
前記両面壁に突起を備えた略鞍形のスナッフ゜本体と、このスナッフ゜本体に設けた少なくとも一片の弾性体と、この一片の弾性体と対峙する方向に設けた略Ｕ字形弾性体とでなる前記固定スナッフ゜挿入孔に嵌入される固定スナッフ゜とで構成し、
この固定スナッフ゜の二片の弾性体が、前記スフ゜ライン溝と固定スナッフ゜挿入孔との連通箇所に設けた連通部の端面壁に規制され、また略Ｕ字形弾性体が、前記連通部のスローフ゜に規制される構成としたレハ゛ー固定装置。
【請求項４】
請求項３に記載の固定スナッフ゜に設けたスナッフ゜本体の上面に、指掛け用のスローフ゜面を設ける構成としたレハ゛ー固定装置。
【請求項５】
請求項３に記載の固定スナッフ゜に設けた一片の略ヒレ形弾性体を、シャフトの搾り部に衝止する構成としたレハ゛ー固定装置。
【発明の詳細な説明】
【０００１】
【産業上の利用分野】
本発明は、リクライニンク゛装置のリクライニンク゛レハ゛ーと、このレハ゛ー固定装置に関する。
【０００２】
【従来の技術】
従来、この種のリクライニンク゛装置のリクライニンク゛レハ゛ーは、フ゛ロー成形を利用して、一体成形されることから、リクライニンク゛レハ゛ーの先端部に材料が注入される傾向が強く、この先端部と基部との間に重量差が発生する。この重量差は、思わぬ弊害を発生する。例えば、走行中のリクライニンク゛レハ゛ーのカ゛タツキ発生と、このカ゛タツキが起因して、最悪の場合には、シートが勝手に移動して発生するトラフ゛ル、またシートの移動で発生する悪い事態、又はカ゛タツキが起因して、発生する騒音等の問題があった。
【０００３】
また従来、この種のリクライニンク゛装置のシャフトへのリクライニンク゛レハ゛ーの固定装置は、シャフトとリクライニンク゛レハ゛ーとを、螺子止めする構成が主流である。この螺子止めによる構成では、手間が掛ること、螺子の締付けに経験を要すること、また取付け取外しによる螺子山の損傷があること、等の課題がある。また取付け等の際に、余分の締付け力による螺子山の損傷発生、また弱い締付けによる走行中の振動で、カ゛タツクことによる騒音の発生等の問題がある。殊に樹脂製では、この可能性が高いので、その改良が望まれている。
【０００４】
そして、この螺子止め構成の改良として、本出願人は、既に、リクライニンク゛レハ゛ーと、そのレハ゛ー固定装置（固定構造）を提案している。この発明は、リクライニンク゛レハ゛ーに形成したシャフト挿入孔と、このシャフト挿入孔に併設した固定スナッフ゜挿入孔と、このシャフト挿入孔と固定スナッフ゜挿入孔とを連結する連設部とで構成し、この固定スナッフ゜挿入孔に嵌入した固定スナッフ゜を、固定スナッフ゜挿入孔の両面壁（シャフト挿入孔に向かった面壁）と、前記シャフト挿入孔に挿入されたシャフトの搾り部とに弾圧し、この弾圧を介してシャフト挿入孔に嵌入されたシャフトと、前記リクライニンク゛レハ゛ーとを係止することを特徴とする。従って、螺子を使用せずに、このシャフトとリクライニンク゛レハ゛ーとを固定又は固定解除ができること、及びこれにより従来の弊害が解消できること、等の実益がある。
【０００５】
【発明が解決しようとする課題】
詳述した、リクライニンク゛レハ゛ーとシャフトとの固定を、リクライニンク゛レハ゛ーの固定スナッフ゜挿入孔に挿入することで、当該固定スナッフ゜の弾圧を介して行う構成では、前述した螺子止めによる弊害を解消できる特徴を有する。しかし、この発明の趣旨をさらに向上するには、改良すべき内容がある。例えば、シャフトの搾り部と固定スナッフ゜の弾性片との関係が、規定されるので、汎用性に欠ける。またこの構成は、シャフトの搾り部と固定スナッフ゜の弾性片は、嵌め合い関係により固定されることから、シャフトの固定又は固定解除に熟練が要求されること、また固定状態の確認が困難視されること、等の改良点が挙げられる。
【０００６】
【課題を解決するための手段】
請求項１の発明は、固定スナッフ゜挿入孔を有するリクライニンク゛レハ゛ーを、確実かつ簡易に製造すること、又は固定スナッフ゜の一片の弾性体を圧接できる端面壁と、略Ｕ字形弾性体とを圧接できるスローフ゜とを備えた固定スナッフ゜挿入孔を具備するリクライニンク゛レハ゛ーを提供すること、又は肉圧が略均一で、リクライニンク゛用のシャフトに、リクライニンク゛レハ゛ーを取付けた場合に、カ゛タつかず、かつ衝撃で妄動しない構造のリクライニンク゛レハ゛ーを提供すること、等を意図する。またリクライニンク゛レハ゛ーに設けた固定スナッフ゜挿入孔に、シャフトの搾り部と係止及び引抜き方向に対する誘引反り機能を備えた二片の搾り部弾性体と、確実な挿入及び係止ができる略Ｕ字形弾性体とを備えた固定スナッフ゜を挿入できるリクライニンク゛レハ゛ーを提供することを意図する。
【０００７】
請求項１は、基部にスフ゜ライン溝を有するシャフト挿入孔を開設し、またその内方側に多数のリフ゛を設けたリクライニンク゛装置のリクライニンク゛レハ゛ーであって、
前記スフ゜ライン溝に併設された固定スナッフ゜挿入孔を開設し、当該スフ゜ライン溝と固定スナッフ゜挿入孔との連通部を形成し、この固定スナッフ゜挿入孔の第二端面壁に、固定スナッフ゜の略Ｕ字形弾性体を規制するスローフ゜を形成し、また固定スナッフ゜挿入孔の第一端面壁に、固定スナッフ゜の少なくとも一片の弾性体を規制する面壁を形成したリクライニンク゛レハ゛ー本体と、
このリクライニンク゛レハ゛ー本体に設けた多数個の取付孔に係合されるリクライニンク゛レハ゛ー蓋体と、
で構成されるリクライニンク゛装置のリクライニンク゛レハ゛ーである。
【０００８】
請求項２の発明は、リクライニンク゛レハ゛ー本体にリクライニンク゛レハ゛ー蓋体を容易に取付けできること、またリクライニンク゛レハ゛ー本体のリフ゛を有効利用して、このリクライニンク゛レハ゛ー本体とリクライニンク゛レハ゛ー蓋体とを確実に合体すること、等を意図する。
【０００９】
請求項２は、請求項１に記載の多数個の取付孔を、前記リフ゛に開設した構成のリクライニンク゛装置のリクライニンク゛レハ゛ーである。
【００１０】
請求項３の発明は、シャフトの固定スナッフ゜挿入孔の端面壁に圧接する一片の弾性体と、この固定スナッフ゜挿入孔のスローフ゜に圧接される略Ｕ字形弾性体とを利用した固定構造であり、シャフトの挿入と引抜き（脱抜）方向に対する両者（一片の弾性体と、略Ｕ字形弾性体とを云う）の反撥力（抗力）となり、両方（シャフトと、リクライニンク゛レハ゛ーとを云う）の固定操作の容易性、固定の確定、固定スナッフ゜の挿入と引抜き（取外し）の容易化等を図ることを意図する。またシャフトの搾り部と固定スナッフ゜に設けた二片の搾り部弾性体とによる係止及び引抜き方向に対する誘引反り形態とを介して固定又は固定解除する構成を利用して、シャフトの挿入と、この挿入後の固定の確保を図りつつ、引抜き作業を確保すること、等を意図し、この操作を介して両方の固定操作の容易性、固定の確定、固定スナッフ゜の挿入と引抜きの容易化等を図ることを意図する。
【００１１】
請求項３は、リクライニンク゛装置のスフ゜ライン溝を有するシャフト挿入孔と、このシャフト挿入孔に併設された固定スナッフ゜挿入孔と、この固定スナッフ゜挿入孔の内面に設けた係合孔と、その内方側に設けた多数のリフ゛とでなるリクライニンク゛レハ゛ー本体と、このリクライニンク゛レハ゛ー本体に設けた多数個の取付孔に係合されるリクライニンク゛レハ゛ー蓋体とでなるリクライニンク゛装置のリクライニンク゛レハ゛ーと、
前記両面壁に突起を備えた略鞍形のスナッフ゜本体と、このスナッフ゜本体に設けた少なくとも一片の弾性体と、この一片の弾性体と対峙する方向に設けた略Ｕ字形弾性体とでなる前記固定スナッフ゜挿入孔に嵌入される固定スナッフ゜とで構成し、
この固定スナッフ゜の二片の弾性体が、前記スフ゜ライン溝と固定スナッフ゜挿入孔との連通箇所に設けた連通部の端面壁に規制され、また略Ｕ字形弾性体が、前記連通部のスローフ゜に規制される構成としたレハ゛ー固定装置である。
【００１２】
請求項４の発明は、固定スナッフ゜の確実な挿入と、取外しを可能とすることを意図する。
【００１３】
請求項４は、請求項３に記載の固定スナッフ゜に設けたスナッフ゜本体の上面に、指掛け用のスローフ゜面を設ける構成としたレハ゛ー固定装置である。
【００１４】
請求項５の発明は、シャフトと固定スナッフ゜との確実な係止を介して当該シャフトを、リクライニンク゛レハ゛ーに確実かつ安定した状態で固止することを意図する。
【００１５】
請求項５は、請求項３に記載の固定スナッフ゜に設けた一片の略ヒレ形弾性体を、シャフトの搾り部に衝止する構成としたレハ゛ー固定装置である。
【００１６】
【発明の実施の形態】
以下、本発明の実施の形態を説明する。
【００１７】
図６〜図９に示した例では、本発明のリクライニンク゛レハ゛ーは、リクライニンク゛レハ゛ー本体と、このリクライニンク゛レハ゛ー本体に係止されるリクライニンク゛レハ゛ー蓋体とで構成される。そして、このリクライニンク゛レハ゛ー本体及びリクライニンク゛レハ゛ー蓋体は、フ゛ロー成形、又は金型成形、他の成形等を利用して、それぞれ成形される。そして、成形されたリクライニンク゛レハ゛ー本体には、多数の各リフ゛と、この各リフ゛の所定箇所にそれぞれ設けた多数の取付孔とが形成される。このリフ゛に設けた取付孔に、リクライニンク゛レハ゛ー蓋体の突起を順次係合する。この係合を介してリクライニンク゛レハ゛ーが形成される。従って、肉圧の均一化が図れて、走行中の振動等でリクライニンク゛レハ゛ーが倒れること、又はカ゛タツクこと等が回避できる。また金型成形の場合には、成形の歩留まりの向上と、不良品の減少化、製造コストの低廉化等に寄与できる。またリクライニンク゛レハ゛ー本体と、リクライニンク゛レハ゛ー蓋体との組合わせであり、組合わせによる変化と、この変化による嗜好の満喫化、或いは成形の容易化、迅速化、又は交換化、部品の有効利用化等が図れる実益がある。
【００１８】
また図５（イ）〜（ニ）に示した例では、このリクライニンク゛レハ゛ーをシャフトに固止するには、シャフトの端部に設けたスフ゜ライン溝を、リクライニンク゛レハ゛ー本体のシャフト挿入孔の開口から順次挿入する。この際に、このシャフト挿入孔と固定スナッフ゜挿入孔とを連繋する連通部に形成されたスローフ゜をやや押上げながら挿入されることで、スフ゜ライン溝と、シャフトのスフ゜ラインとの囓合が確実かつ強固となる。そして、シャフトが、シャフト挿入孔の底部に衝止した段階で停止する。そして、続いて、固定スナッフ゜挿入孔に固定スナッフ゜を挿入する。この際に、スナッフ゜本体及び／又は二片の弾性体を第一端面壁（端面壁）に接触し、また略Ｕ字形弾性体を対峙する第二端面壁に接触する。この接触後、スナッフ゜本体の上面に設けたスローフ゜面を、指で押圧しながらこの略Ｕ字形弾性体を第二端面壁の下方に向って移動する。この移動過程で、略Ｕ字形弾性体は、第二端面壁に押圧されて圧縮した状態で移行し、スローフ゜に略達した状態で停止される。また二片の弾性体は、第一端面壁の下方に向って移動する。この移動過程で、二片の弾性体の外側弾性体（外側弾性体とする）は、第一端面壁に押圧されて圧縮した状態で移行し、また二片の弾性体の内側弾性体（内側弾性体とする）は、外側弾性体の押圧で僅かに押圧された状態で移行し、この内側弾性体は、シャフトの搾り部の肩部に達した状態で停止される。このようにして、固定スナッフ゜が固定スナッフ゜挿入孔に挿入（嵌入）された時点で、第二端面壁に略Ｕ字形弾性体が押圧され、また第一端面壁に外側弾性体が押圧された状態であり、前記の如く、内側弾性体は、シャフトの一方搾り部の肩部に達した状態で停止される。尚、略ヒレ形弾性体は、シャフトの他方搾り部の肩部に達した状態で停止され、かつこのシャフトの他方搾り部の肩部に、略添った状態で停止される。またスナッフ゜本体に設けた突起は、第三、四端面壁（第一端面壁、第二端面壁と直交する面壁）に設けた孔に係合される。そして、シャフトの端面と、シャフト挿入孔の底面とは、僅かのスヘ゜ースを形成して、当該シャフトに遊びを付与し、騒音回避、フレキシフ゛ルの確保等を意図する。
【００１９】
尚、前記略ヒレ形弾性体は、シャフトの引抜き時に、一方搾り部で容易に撓む構成であり、その引抜き作業の容易化に寄与できる。またこの略ヒレ形弾性体は、シャフトを挿入した時に、他方の搾り部で容易に撓み、挿入完了時に、他方搾り部の肩部に、略添った状態で停止される。
【００２０】
そして、図示しないが固定スナッフ゜挿入孔に、最初に固定スナッフ゜を挿入した後に、シャフトを挿入することも可能であり、種々の方法で、シャフトとリクライニンク゛レハ゛ーを固定することが可能である。
【００２１】
前記シャフトがリクライニンク゛レハ゛ーに固止された状態より、シャフトを引抜く場合、通常は、固定スナッフ゜の上面のスローフ゜面を押圧して、略Ｕ字形弾性体を第二端面壁の上方に移行して、この押圧を解除する。これにつれて、外側弾性体が、第一端面壁の上方に移行しながら、押圧が解除されるとともに、内側弾性体は自然に回復する。この内側弾性体は、一方搾り部から離れる。尚、略ヒレ形弾性体は、他方搾り部から離れる。これにより、固定スナッフ゜は、固定スナッフ゜挿入孔より外れる。
【００２２】
以上のシャフトの挿入、引抜き、または固定スナッフ゜の挿入、取出し（外れる）は、一例であり限定されない。
【００２３】
【実施例】
以下、本発明の一実施例を説明する。
【００２４】
１はリクライニンク゛装置Ａを構成する樹脂製のリクライニンク゛レハ゛ーで、このリクライニンク゛レハ゛ー１は、リクライニンク゛レハ゛ー本体１ａとリクライニンク゛レハ゛ー蓋体１ｂとで構成されている。そして、このリクライニンク゛レハ゛ー本体１ａには、その基部に車輌の金属製のシャフト２が挿入されるスフ゜ライン溝３００を有するシャフト挿入孔３を開設し、またその内方側１ａ−１には多数のリフ゛４を設ける。またスフ゜ライン溝３００に併設された固定スナッフ゜挿入孔５を開設し、当該シャフト挿入孔３と固定スナッフ゜挿入孔５との連通部６を形成し、この連通部６の第二端面壁５００に、固定スナッフ゜１０の略Ｕ字形弾性体１０００を規制するスローフ゜５０２を形成し、また固定スナッフ゜挿入孔５の第一端面壁５０１に、固定スナッフ゜１０の少なくとも外側弾性体１００２を規制する第一端面壁５０１を形成した構成である。尚、多数のリフ゛４には、取付孔４００が多数設けられており、この取付孔４００には、リクライニンク゛レハ゛ー蓋体１ｂに設けた多数個の突起１１が係合される。この係合を介してリクライニンク゛レハ゛ー１が構成される。
【００２５】
尚、固定スナッフ゜１０は、略鞍形のスナッフ゜本体１０ａと、このスナッフ゜本体１０ａの側面に設けたテーハ゜−形状の突起１００３、１００４と、左右側面より離間した内外側弾性体１００１、１００２と、前記スナッフ゜本体１０ａの一面より延設した略Ｕ字形弾性体１０００との間に設け、かつ左右側面より離間した略ヒレ形弾性体１００６とで構成されており、樹脂製である。この離間は、内外側弾性体１００１、１００２等に最適な弾性力を付与する。また突起１００３、１００４は、固定スナッフ゜挿入孔５の第三・四端面壁５０３、５０４に設けた係合孔５０５、５０６に嵌入される。この際に、テーハ゜−形状を利用して簡易、かつスムース゛な嵌入と、また抜け防止等とを意図する。そして、前記略ヒレ形弾性体１００６は、後述するシャフト２の他方搾り部の肩部に、略添った状態で停止される（図５（ニ）参照）。またシャフト２の挿入、引抜き等の際に、撓み可能として、当該シャフト２のスムース゛な動きを確保する。図中１００５は、スナッフ゜本体１０ａの上面１０ｂのスローフ゜面である。尚、外側弾性体１００２は、第一端面壁５０１の下端に衝止し（図５（ニ）参照）、シャフト２の軸方向の動きと、抜け防止（リクライニンク゛レハ゛ー１の抜け防止）を図る。前記係合孔５０５、５０６は、リクライニンク゛レハ゛ー１の外方に貫通しない構造も可能であり（図示せず）、例えば、固定スナッフ゜１０の無用な脱抜回避と、悪意による固定スナッフ゜１０の取外し回避、安全確保、等を意図する。また固定スナッフ゜挿入孔５を固定スナッフ゜１０の上面１０ｂ等で塞ぎ、美観の向上と、また固定スナッフ゜１０の無用な脱抜回避と、悪意による固定スナッフ゜１０の取外し回避、安全確保、等を意図する。
【００２６】
前記シャフト２は、両端部にシャフト挿入孔３に設けたスフ゜ライン溝３００に囓合するスフ゜ライン２００と、一方・他方搾り部２０１、２０２を有する。この一方・他方搾り部２０１、２０２と固定スナッフ゜１０との関係は前述の通りである。尚、図１０に示す例では、一方・他方搾り部２０１、２０２は、図示のθ角度を極力小さくして、例えば、シャフト２の動きに対して、固定スナッフ゜１０に掛かる力を軽減する。これにより、当該シャフト２のカ゛タツキ防止及び／又はシャフト２の脱抜防止を図りつつ、また当該固定スナッフ゜１０の動きの規制及び／又は固定スナッフ゜１０の脱抜防止を図る。
【００２７】
尚、図１１、図１２に示す例は、固定スナッフ゜挿入孔５と、固定スナッフ゜１０との他の例を示しており、金具Ｃを介して固定スナッフ゜１０を簡易に取外すことを意図する。即ち、固定スナッフ゜挿入孔５の第一端面壁５０１に溝５０１ａと、段付き５０１ｂを形成し、また固定スナッフ゜１０の外側弾性体１００２に突起１００２ａを設ける。そして、金具Ｃの先を溝５０１ａと第一端面壁５０１との間に挿入し、その先端で、外側弾性体１００２に設けた突起１００２ａ等を押上げて、この固定スナッフ゜１０を取出す。尚、前記溝５０１ａの端面には、金具Ｃのスムース゛な動きを確保するために、曲面（Ｒ）を設ける。尚、この溝５０１ａは隠蔽構造とすることもできる。また固定スナッフ゜１０の上面１０ｂは、固定スナッフ゜挿入孔５の可動側を隠蔽し、少なくとも対峙側が入込む構成であるが、限定されない。
【００２８】
また図１３は前記略ヒレ形弾性体１００６と、一方搾り部２０１との関係を示しており、シャフト２の引抜きの容易化に寄与する。
【００２９】
図中Ｂはシートを示す。
【００３０】
【発明の効果】
請求項１の発明は、基部にスフ゜ライン溝を有するシャフト挿入孔を開設し、またその内方側に多数のリフ゛を設けたリクライニンク゛装置のリクライニンク゛レハ゛ーであって、スフ゜ライン溝に併設された固定スナッフ゜挿入孔を開設し、スフ゜ライン溝と固定スナッフ゜挿入孔との連通部を形成し、固定スナッフ゜挿入孔の第二端面壁に、固定スナッフ゜の略Ｕ字形弾性体を規制するスローフ゜を形成し、また固定スナッフ゜挿入孔の第一端面壁に、固定スナッフ゜の少なくとも一片の弾性体を規制する面壁を形成したリクライニンク゛レハ゛ー本体と、リクライニンク゛レハ゛ー本体に設けた多数個の取付孔に係合されるリクライニンク゛レハ゛ー蓋体と、で構成されるリクライニンク゛装置のリクライニンク゛レハ゛ーである。従って、固定スナッフ゜挿入孔を有するリクライニンク゛レハ゛ーを、確実かつ簡易に製造できること、又は固定スナッフ゜の一片の弾性体を圧接できる端面壁と、略Ｕ字形弾性体とを圧接できるスローフ゜とを備えた固定スナッフ゜挿入孔を具備するリクライニンク゛レハ゛ーを提供できること、又は肉圧が略均一で、リクライニンク゛用のシャフトに、リクライニンク゛レハ゛ーを取付けた場合に、カ゛タつかず、かつ衝撃で妄動しない構造のリクライニンク゛レハ゛ーを提供できること、等の特徴がある。またリクライニンク゛レハ゛ーに設けた固定スナッフ゜挿入孔に、シャフトの搾り部と係止及び引抜き方向に対する誘引反り機能を備えた二片の搾り部弾性体と、確実な挿入及び係止ができる略Ｕ字形弾性体とを備えた固定スナッフ゜を挿入できるリクライニンク゛レハ゛ーを提供できる実益がある。
【００３１】
請求項２の発明は、請求項１に記載の多数個の取付孔を、リフ゛に開設した構成のリクライニンク゛装置のリクライニンク゛レハ゛ーである。従って、リクライニンク゛レハ゛ー本体にリクライニンク゛レハ゛ー蓋体を容易に取付けできること、またリクライニンク゛レハ゛ー本体のリフ゛を有効利用して、このリクライニンク゛レハ゛ー本体とリクライニンク゛レハ゛ー蓋体とを確実に合体できること、等の特徴がある。
【００３２】
請求項３の発明は、リクライニンク゛装置のスフ゜ライン溝を有するシャフト挿入孔と、シャフト挿入孔に併設された固定スナッフ゜挿入孔と、固定スナッフ゜挿入孔の内面に設けた係合孔と、その内方側に設けた多数のリフ゛とでなるリクライニンク゛レハ゛ー本体と、リクライニンク゛レハ゛ー本体に設けた多数個の取付孔に係合されるリクライニンク゛レハ゛ー蓋体とでなるリクライニンク゛装置のリクライニンク゛レハ゛ーと、両面壁に突起を備えた略鞍形のスナッフ゜本体と、スナッフ゜本体に設けた少なくとも一片の弾性体と、一片の弾性体と対峙する方向に設けた略Ｕ字形弾性体とでなる固定スナッフ゜挿入孔に嵌入される固定スナッフ゜とで構成し、固定スナッフ゜の二片の弾性体が、スフ゜ライン溝と固定スナッフ゜挿入孔との連通箇所に設けた連通部の端面壁に規制され、また略Ｕ字形弾性体が、連通部のスローフ゜に規制される構成としたレハ゛ー固定装置である。従って、シャフトの固定スナッフ゜挿入孔の端面壁に圧接する一片の弾性体と、この固定スナッフ゜挿入孔のスローフ゜に圧接される略Ｕ字形弾性体とを利用した固定構造であり、シャフトの挿入と引抜き方向に対する両者の反撥力となり、両方の固定操作の容易性、固定の確定、固定スナッフ゜の挿入と引抜きの容易化等を図る特徴がある。またシャフトの搾り部と固定スナッフ゜に設けた二片の搾り部弾性体とによる係止及び引抜き方向に対する誘引反り形態とを介して固定又は固定解除する構成を利用して、シャフトの挿入と、この挿入後の固定の確保を図りつつ、引抜き作業が確保できること、等の実益がある。この操作を介して両方の固定操作の容易性、固定の確定、固定スナッフ゜の挿入と引抜きの容易化等が図れる特徴がある。
【００３３】
請求項４の発明は、請求項３に記載の固定スナッフ゜に設けたスナッフ゜本体の上面に、指掛け用のスローフ゜面を設ける構成としたレハ゛ー固定装置である。従って、固定スナッフ゜の確実な挿入と、取外しが可能となる実益がある。
【００３４】
請求項５の発明は、請求項３に記載の固定スナッフ゜に設けた一片の略ヒレ形弾性体を、シャフトの搾り部に衝止する構成としたレハ゛ー固定装置である。従って、シャフトと固定スナッフ゜との確実な係止を介して当該シャフトを、リクライニンク゛レハ゛ーに確実かつ安定した状態で固止できる実益がある。
【図面の簡単な説明】
【図１】本発明のシートとリクライニンク゛レハ゛ーとの関係を説明する縮尺斜視図である。
【図２】本発明の固定スナッフ゜を示しており、（イ）は正面図、（ニ）は側面図である。
【図３】本発明の固定スナッフ゜を示した斜視図である。
【図４】本発明のシャフトの要部斜視図である。
【図５】本発明のリクライニンク゛レハ゛ーとシャフト及び固定スナッフ゜との関係を示しており、（イ）はシャフトのリクライニンク゛レハ゛ーのシャフト挿入孔への挿入始めを示す断面図、（ロ）はシャフトのリクライニンク゛レハ゛ーのシャフト挿入孔への挿入後を示す断面図、（ハ）はリクライニンク゛レハ゛ーのシャフト挿入孔に挿入したシャフトと、固定スナッフ゜の挿入始めを示す断面図、（ニ）はリクライニンク゛レハ゛ーのシャフト挿入孔に挿入したシャフト及びシャフト挿入孔と、固定スナッフ゜との関係を示す断面図である。
【図６】本発明のリクライニンク゛レハ゛ーの一部欠截の側面図である。
【図７】本発明のリクライニンク゛レハ゛ーの一部欠截の正面図である。
【図８】本発明のリクライニンク゛レハ゛ー本体の正面図である。
【図９】本発明のリクライニンク゛レハ゛ー蓋体の裏面図である。
【図１０】本発明のリクライニンク゛レハ゛ーの固定スナッフ゜挿入孔に挿入した固定スナッフ゜と、シャフトとの関係を拡大して示しており、（イ）は断面図、（ロ）は要部の模式図である。
【図１１】本発明のリクライニンク゛レハ゛ー本体の他の一例を示しており、（イ）は固定スナッフ゜の挿入状態を示す断面図、（ロ）は固定スナッフ゜の取出し状態を示す断面図である。
【図１２】図１１の要部の平面図である。
【図１３】固定スナッフ゜の略ヒレ形弾性体と、シャフトの一方搾り部との関係を示した拡大要部側面図である。
【符号の説明】
１        リクライニンク゛レハ゛ー
１ａ        リクライニンク゛レハ゛ー本体
１ａ−１      内方側
１ｂ        リクライニンク゛レハ゛ー蓋体
１１        突起
２        シャフト
２００      スフ゜ライン
２０１      一方搾り部
２０２      他方搾り部
３        シャフト挿入孔
３００      スフ゜ライン溝
４        リフ゛
４００      取付孔
５        固定スナッフ゜挿入孔
５００      第二端面壁
５０１      第一端面壁
５０１ａ      溝
５０１ｂ      段付き
５０２      スローフ゜
５０３      第三端面壁
５０４      第四端面壁
５０５      係合孔
５０６      係合孔
６        連通部
１０        固定スナッフ゜
１０ａ      スナッフ゜本体
１０ｂ      上面
１０００      略Ｕ字形弾性体
１００１      内側弾性体
１００２      外側弾性体
１００２ａ    突起
１００３      突起
１００４      突起
１００５      スローフ゜面
１００６      略ヒレ形弾性体
Ａ        リクライニンク゛装置
Ｂ        シート
Ｃ        金具
【図１】
2004180826.tif 000003
【図２】
2004180826.tif 000004
【図３】
2004180826.tif 000005
【図４】
2004180826.tif 000006
【図５】
2004180826.tif 000007
【図６】
2004180826.tif 000008
【図７】
2004180826.tif 000009
【図８】
2004180826.tif 000010
【図９】
2004180826.tif 000011
【図１０】
2004180826.tif 000012
【図１１】
2004180826.tif 000013
【図１２】
2004180826.tif 000014
【図１３】
2004180826.tif 000015